(57)【要約】【課題】  １回の切替操作で三相３線と単相３線とを切替器だけで切り替えることができる三相３線−単相３線切替型発電設備を提供する。【解決手段】  切替器ＳＷＵ及び配線回路ＤＣの構成により、切替操作部ＳＨが第１の切替位置Ｐ１にあるときに、Ｕ相発電コイルＵ及びｕ相発電コイルｕが並列接続され、Ｖ相発電コイルＶ及びｖ相発電コイルｖが並列接続され且つＷ相発電コイルＷ及びｗ相発電コイルｗが並列接続されて構成されるパラレルスター結線が第１乃至第３の出力ラインＯＬ１〜ＯＬ３に対して接続される。また切替操作部ＳＨが第２の切替位置Ｐ２にあるときに、Ｕ相発電コイルＵ、ｖ相発電コイルｖ及びｗ相発電コイルｗからなる第１のデルタ結線並びにｕ相発電コイルｕ、Ｖ相発電コイルＶ及びＷ相発電コイルＷからなる第２のデルタ結線を備えたダブルデルタ結線が第１乃至第３の出力ラインＯＬ１〜ＯＬ３に対して接続される。【選択図】  図１
2010015897.tif 000002
【特許請求の範囲】
【請求項１】
同じ位相の交流電力を発生するＵ相発電コイル及びｕ相発電コイルと、前記Ｕ相発電コイル及びｕ相発電コイルとは電気角で１２０°異なる位相で且つ同じ位相の交流電力を発生するＶ相発電コイル及びｖ相発電コイルと、前記Ｕ相発電コイル及びｕ相発電コイル並びに前記Ｖ相発電コイル及びｖ相発電コイルとは電気角で１２０°異なる位相で且つ同じ位相の交流電力を発生するＷ相発電コイル及びｗ相発電コイルとを備えた発電機と、
手動で操作される切替操作部を備えた切替器及び配線回路を備えて前記発電機と第１乃至第３の出力ラインとの間に配置された切替回路とを備え、
前記切替器及び前記配線回路は、前記切替操作部が第１の切替位置にあるときに前記Ｕ相発電コイル及びｕ相発電コイルが並列接続され、前記Ｖ相発電コイル及びｖ相発電コイルが並列接続され且つ前記Ｗ相発電コイル及びｗ相発電コイルが並列接続されて構成されるパラレルスター結線が前記第１乃至第３の出力ラインに対して接続され、前記切替操作部が第２の切替位置にあるときに、前記Ｕ相発電コイル、前記ｖ相発電コイル及び前記ｗ相発電コイルからなる第１のデルタ結線並びに前記ｕ相発電コイル、前記Ｖ相発電コイル及び前記Ｗ相発電コイルからなる第２のデルタ結線を備えたダブルデルタ結線が前記第１乃至第３の出力ラインに対して接続されるように構成されていることを特徴とする三相３線−単相３線切替型発電設備。
【請求項２】
前記発電機は、前記ｕ相発電コイルの一端に接続された第１の出力端子及び前記ｕ相発電コイルの他端に接続された第２の出力端子と、前記Ｕ相発電コイルの一端に接続された第３の出力端子及び前記Ｕ相発電コイルの他端に接続された第４の出力端子と、前記ｖ相発電コイルの一端に接続された第５の出力端子及び前記ｖ相発電コイルの他端に接続された第６の出力端子と、前記Ｖ相発電コイルの一端に接続された第７の出力端子及び前記Ｖ相発電コイルの他端に接続された第８の出力端子と、前記ｗ相発電コイルの一端に接続された第９の出力端子及び前記ｗ相発電コイルの他端に接続された第１０の出力端子と、前記Ｗ相発電コイルの一端に接続された第１１の出力端子及び前記Ｗ相発電コイルの他端に接続された第１２の出力端子とを備え、
前記切替器は、前記切替操作部によって操作される第１乃至第８のスイッチ回路を備え、
前記第１乃至第８のスイッチ回路はそれぞれ、前記切替操作部が前記第１の切替位置にあるときに導通状態となり且つ前記切替操作部が前記第２の切替位置にあるときに非導通状態となる第１のスイッチ部と前記切替操作部が第１の切替位置にあるときに非導通状態となり且つ前記切替操作部が第２の切替位置にあるときに導通状態となる第２のスイッチ部とが直列に接続された構造を有し、且つ前記第１及び第２のスイッチ部の接続点に接続された中間接続端子と、前記第１のスイッチ部に接続された第１の接続端子と、前記第２のスイッチ部に接続された第２の接続端子とを有し、
前記配線回路が、
前記第１のスイッチ回路の前記第１の接続端子が前記第１の出力端子及び前記第１の出力ラインに電気的に接続され、前記第２の接続端子が前記第２の出力端子及び前記第６の出力端子に電気的に接続され、前記中間接続端子が前記第３の出力端子に電気的に接続され、
前記第２のスイッチ回路の前記第１の接続端子が前記第５の出力端子に電気的に接続され、前記第２の接続端子が前記第２の出力端子及び前記第６の出力端子に電気的に接続され、前記中間接続端子が前記第２の出力ラインに電気的に接続され、
前記第３のスイッチ回路の前記第１の接続端子が前記第１１の出力端子及び前記第３の出力ラインに電気的に接続され、前記第２の接続端子が前記第２の出力端子及び前記第６の出力端子に電気的に接続され、前記中間接続端子が前記第９の出力端子に電気的に接続され、
前記第４のスイッチ回路の前記第１の接続端子が前記第２の出力端子及び前記第６の出力端子に電気的に接続され、前記第２の接続端子が前記第１１の出力端子及び前記第３の出力ラインに電気的に接続され、前記中間接続端子が前記第４の出力端子に電気的に接続され、
前記第５のスイッチ回路の前記第１の接続端子が前記第５の出力端子に電気的に接続され、前記中間接続端子が前記第７の出力端子に電気的に接続され、
前記第６のスイッチ回路の前記第１の接続端子が前記第２の出力端子及び前記第６の出力端子に電気的に接続され、前記第２の接続端子が前記第１の出力ラインに電気的に接続され、前記中間接続端子が前記第８の出力端子に電気的に接続され、
前記第７のスイッチ回路の前記第１の接続端子が前記第２の出力端子及び前記第６の出力端子に電気的に接続され、前記第２の接続端子が前記第５のスイッチ回路の前記第２の接続端子に接続され、前記中間接続端子が前記第１０の出力端子に電気的に接続され、
前記第８のスイッチ回路の前記第１の接続端子が前記第２の出力端子及び前記第６の出力端子に電気的に接続され、前記第２の接続端子が前記第５の出力端子に電気的に接続され、前記中間接続端子が前記第１２の出力端子に電気的に接続されるように構成されていることを特徴とする請求項１に記載の三相３線−単相３線切替型発電設備。
【請求項３】
前記第１乃至第３の出力ラインに電気的に接続されて三相３線の交流電流及び電圧を測定する三相３線メータと、
前記第１乃至第３の出力ラインに電気的に接続されて単相３線の交流電流及び電圧を測定する単相３線メータと、
前記第１乃至第３の出力ラインの少なくとも２つの前記出力ラインに対して設けられた少なくとも２つの変流器を含み、前記切替操作部と連動して、前記切替操作部が前記第１の切替位置にあるときに前記三相３線メータを前記第１乃至第３の出力ライン及び前記２つの変流器に電気的に接続し、前記切替操作部が前記第２の切替位置にあるときに前記単相３線メータを前記第１乃至第３の出力ライン及び前記２つの変流器に電気的に接続する変流器付連動切替回路とを更に備えている請求項２に記載の三相３線−単相３線切替型発電設備。
【請求項４】
前記切替器は１つのユニットして構成され、
前記切替操作部は、前記切替器の本体に対して取り外し可能に装着されている請求項１に記載の三相３線−単相３線切替型発電設備。
【請求項５】
同じ位相の交流電力を発生するのＵ相発電コイル及びｕ相発電コイルと、前記Ｕ相発電コイル及びｕ相発電コイルとは電気角で１２０°異なる位相で且つ同じ位相の交流電力を発生するＶ相発電コイル及びｖ相発電コイルと、前記Ｕ相発電コイル及びｕ相発電コイル並びに前記Ｖ相発電コイル及びｖ相発電コイルとは電気角で１２０°異なる位相で且つ同じ位相の交流電力を発生するＷ相発電コイル及びｗ相発電コイルとを備えた発電機と、
手動で操作される切替操作部を備えた切替器及び配線回路を備えて前記発電機と第１乃至第３の出力ラインとの間に配置された切替回路とを備え、
前記切替器及び前記配線回路は、前記切替操作部が第１の切替位置にあるときに前記Ｕ相発電コイル乃至ｗ相発電コイルがパラレルスター結線を構成して前記第１乃至第３の出力ラインに対して接続され、前記切替操作部が第２の切替位置にあるときに、前記Ｕ相発電コイル乃至ｗ相発電コイルがダブルデルタ結線を構成して前記第１乃至第３の出力ラインに対して接続されるように構成されていることを特徴とする三相３線−単相３線切替型発電設備。
【発明の詳細な説明】
【技術分野】
【０００１】
本発明は、三相３線出力と単相３線出力とを切り替えることができる三相３線−単相３線切替型発電設備に関するものである。
【背景技術】
【０００２】
特開２００３−３３３８１４号公報には、従来の三相３線−単相３線切替型発電設備の一例が開示されている。従来の三相３線−単相３線切替型発電設備では、発電機に設けた６個の発電コイルをパラレルスター結線とスター結線との間で切り替えたり、パラレルスター結線とパラレル直列結線との間で切り替えることにより、三相３線と単相３線との切替を行っている。従来の設備では、切替器と端子台とを用いて、切替接続を行っている。
【特許文献１】特開２００３−３３３８１４号公報  図３，図４
【発明の開示】
【発明が解決しようとする課題】
【０００３】
しかしながら、切替器と端子台とを組み合わせて使用することは、設備の部品点数が増えるだけでなく、組立工数が増える問題がある。また従来の構成では、１回の切替操作で三相３線と単相３線とを切り替えることはできなかった。
【０００４】
本発明の目的は、１回の切替操作で三相３線と単相３線とを切替器だけで切り替えることができる三相３線−単相３線切替型発電設備を提供することにある。
【０００５】
上記目的に加えて、本発明の他の目的は、端子台を用いることなく、一つのユニットの切替器だけで三相３線と単相３線とを切り替えることができる三相３線−単相３線切替型発電設備を提供することにある。
【０００６】
上記目的に加えて、本発明の他の目的は、誤操作を防止できる三相３線−単相３線切替型発電設備を提供することにある。
【０００７】
上記目的に加えて、本発明の他の目的は、計測器の接続切替を容易に行える三相３線−単相３線切替型発電設備を提供することにある。
【課題を解決するための手段】
【０００８】
本発明の三相３線−単相３線切替型発電設備は、発電機と切替回路とを備えている。発電機は、同じ位相の交流電力を発生するＵ相発電コイル及びｕ相発電コイルと、Ｕ相発電コイル及びｕ相発電コイルとは電気角で１２０°異なる位相で且つ同じ位相の交流電力を発生するＶ相発電コイル及びｖ相発電コイルと、Ｕ相発電コイル及びｕ相発電コイル並びにＶ相発電コイル及びｖ相発電コイルとは電気角で１２０°異なる位相で且つ同じ位相の交流電力を発生するＷ相発電コイル及びｗ相発電コイルとを備えている。発電機の駆動源は何でも良く、可搬式発電設備や発電機車等では、内燃機関が駆動源となる。そして切替回路は、手動で操作される切替操作部を備えた切替器及び配線回路を備えて、発電機と第１乃至第３の出力ラインとの間に配置される。
【０００９】
本発明においては、基本的には、切替器及び配線回路を、切替操作部が第１の切替位置にあるときにＵ相発電コイル乃至ｗ相発電コイルがパラレルスター結線を構成して第１乃至第３の出力ラインに対して接続され、切替操作部が第２の切替位置にあるときに、Ｕ相発電コイル乃至ｗ相発電コイルがダブルデルタ結線を構成して第１乃至第３の出力ラインに対して接続されるように構成する。このようにすることにより、切替器を用いて１回の切替操作により、三相３線と単相３線とを簡単に切り替えることができる。
【００１０】
具体的には、切替器及び配線回路を、切替操作部が第１の切替位置にあるときにＵ相発電コイル及びｕ相発電コイルが並列接続され、Ｖ相発電コイル及びｖ相発電コイルが並列接続され且つＷ相発電コイル及びｗ相発電コイルが並列接続されて構成されるパラレルスター結線が第１乃至第３の出力ラインに対して接続され、切替操作部が第２の切替位置にあるときに、Ｕ相発電コイル、ｖ相発電コイル及びｗ相発電コイルからなる第１のデルタ結線並びにｕ相発電コイル、Ｖ相発電コイル及びＷ相発電コイルからなる第２のデルタ結線を備えたダブルデルタ結線が第１乃至第３の出力ラインに対して接続されるように構成する。
【００１１】
切替器の構成を簡単なものとするためには、以下のようにするのが好ましい。まず発電機は、ｕ相発電コイルの一端に接続された第１の出力端子及びｕ相発電コイルの他端に接続された第２の出力端子と、Ｕ相発電コイルの一端に接続された第３の出力端子及びＵ相発電コイルの他端に接続された第４の出力端子と、ｖ相発電コイルの一端に接続された第５の出力端子及びｖ相発電コイルの他端に接続された第６の出力端子と、Ｖ相発電コイルの一端に接続された第７の出力端子及びＶ相発電コイルの他端に接続された第８の出力端子と、ｗ相発電コイルの一端に接続された第９の出力端子及びｗ相発電コイルの他端に接続された第１０の出力端子と、Ｗ相発電コイルの一端に接続された第１１の出力端子及びＷ相発電コイルの他端に接続された第１２の出力端子とを備えたものを用いる。
【００１２】
そして切替器は、切替操作部によって操作される第１乃至第８のスイッチ回路を備えたものを用いる。第１乃至第８のスイッチ回路はそれぞれ、切替操作部が第１の切替位置にあるときに導通状態となり且つ切替操作部が第２の切替位置にあるときに非導通状態となる第１のスイッチ部と切替操作部が第１の切替位置にあるときに非導通状態となり且つ前記切替操作部が第２の切替位置にあるときに導通状態となる第２のスイッチ部とが直列に接続された構造を有しており、第１及び第２のスイッチ部の接続点に接続された中間接続端子と、第１のスイッチ部に接続された第１の接続端子と、第２のスイッチ部に接続された第２の接続端子とを有している。
【００１３】
そして配線回路は、以下の配線を形成するように構成されている。まず第１のスイッチ回路の第１の接続端子が第１の出力端子及び第１の出力ラインに電気的に接続され、第２の接続端子が第２の出力端子及び第６の出力端子に電気的に接続され、中間接続端子が第３の出力端子に電気的に接続される。また第２のスイッチ回路の第１の接続端子が第５の出力端子に電気的に接続され、第２の接続端子が第２の出力端子及び第６の出力端子に電気的に接続され、中間接続端子が第２の出力ラインに電気的に接続される。また第３のスイッチ回路の第１の接続端子が第１１の出力端子及び第３の出力ラインに電気的に接続され、第２の接続端子が第２の出力端子及び第６の出力端子に電気的に接続され、中間接続端子が第９の出力端子に電気的に接続される。第４のスイッチ回路の第１の接続端子が第２の出力端子及び第６の出力端子に電気的に接続され、第２の接続端子が第１１の出力端子及び第３の出力ラインに電気的に接続され、中間接続端子が第４の出力端子に電気的に接続される。第５のスイッチ回路の第１の接続端子が第５の出力端子に電気的に接続され、中間接続端子が第７の出力端子に電気的に接続される。また第６のスイッチ回路の第１の接続端子が第２の出力端子及び第６の出力端子に電気的に接続され、第２の接続端子が第１の出力ラインに電気的に接続され、中間接続端子が第８の出力端子に電気的に接続される。また第７のスイッチ回路の第１の接続端子が第２の出力端子及び第６の出力端子に電気的に接続され、第２の接続端子が第５のスイッチ回路の第２の接続端子に接続され、中間接続端子が第１０の出力端子に電気的に接続される。また第８のスイッチ回路の第１の接続端子が第２の出力端子及び第６の出力端子に電気的に接続され、第２の接続端子が第５の出力端子に電気的に接続され、中間接続端子が第１２の出力端子に電気的に接続されている。このような切替器と配線回路とを用いると、切替器の構成を単純なものとして、１回の切替操作により、パラレルスター結線とダブルデルタ結線との結線切替を行って、三相３線と単相３線との切替を実行できる。
【００１４】
また第１乃至第３の出力ラインに電気的に接続されて三相３線の交流電流及び電圧を測定する三相３線メータと、第１乃至第３の出力ラインに電気的に接続されて単相３線の交流電流及び電圧を測定する単相３線メータと設けて電力を測定してもよい。この場合、第１乃至第３の出力ラインの少なくとも２つの出力ラインに対して設けられた少なくとも２つの変流器を含み、切替操作部と連動して、切替操作部が第１の切替位置にあるときに三相３線メータを第１乃至第３の出力ライン及び２つの変流器に電気的に接続し、切替操作部が第２の切替位置にあるときに単相３線メータを第１乃至第３の出力ライン及び２つの変流器に電気的に接続する変流器付連動切替回路を更に備えていれば、三相３線と単相３線との切替に連動して、メータの接続切替も行うことができるので、メータの切替作業が容易になる。
【００１５】
切替器は１つのユニットとして構成するのが好ましい。１つのユニットであれば、部品点数が減って、設備への取付が容易になる。また切替操作部は、切替器の本体に対して取り外し可能に装着されているのが好ましい。このようにすると、切替操作を行う場合だけ、切替操作部を操作可能な状態にすることができるので、切替操作部を切替操作の権限を持った者が管理すれば、切替権限のない作業者が誤って切替操作をする事故の発生を防止できる。
【発明の効果】
【００１６】
本発明によれば、切替器及び配線回路を、切替操作部が第１の切替位置にあるときにＵ相発電コイル乃至ｗ相発電コイルがパラレルスター結線を構成して第１乃至第３の出力ラインに対して接続され、切替操作部が第２の切替位置にあるときに、Ｕ相発電コイル乃至ｗ相発電コイルがダブルデルタ結線を構成して第１乃至第３の出力ラインに対して接続されるように構成するので、切替器を用いて１回の切替操作により、三相３線と単相３線とを簡単に切り替えることができる利点がある。
【発明を実施するための最良の形態】
【００１７】
以下、図面を参照して本発明の実施の形態を詳細に説明する。図１は、本発明を発電機車や可搬式発電設備等で使用される三相３線−単相３線切替型発電設備ＧＥに適用した実施の形態の回路構成を示す回路図である。この三相３線−単相３線切替型発電設備ＧＥは、発電機Ｇと切替回路ＳＷＣとを備えている。発電機Ｇは、内燃機関を駆動源として回転するロータＲに設けられた励磁コイルＲＣが発生する磁束と鎖交して、同じ位相の交流電力を発生するＵ相発電コイルＵ及びｕ相発電コイルｕと、Ｕ相発電コイルＵ及びｕ相発電コイルｕとは電気角で１２０°異なる位相で且つ同じ位相の交流電力を発生するＶ相発電コイルＶ及びｖ相発電コイルｖと、Ｕ相発電コイルＵ及びｕ相発電コイルｕ並びにＶ相発電コイルＶ及びｖ相発電コイルｖとは電気角で１２０°異なる位相で且つ同じ位相の交流電力を発生するＷ相発電コイルＷ及びｗ相発電コイルｗとを備えている。
【００１８】
発電機Ｇは、ｕ相発電コイルｕの一端に接続された第１の出力端子Ｔ１及びｕ相発電コイルｕの他端に接続された第２の出力端子Ｔ２と、Ｕ相発電コイルＵの一端に接続された第３の出力端子Ｔ３及びＵ相発電コイルＵの他端に接続された第４の出力端子Ｔ４と、ｖ相発電コイルｖの一端に接続された第５の出力端子Ｔ５及びｖ相発電コイルｖの他端に接続された第６の出力端子Ｔ６と、Ｖ相発電コイルＶの一端に接続された第７の出力端子Ｔ７及びＶ相発電コイルＶの他端に接続された第８の出力端子Ｔ８と、ｗ相発電コイルｗの一端に接続された第９の出力端子Ｔ９及びｗ相発電コイルｗの他端に接続された第１０の出力端子Ｔ１０と、Ｗ相発電コイルＷの一端に接続された第１１の出力端子Ｔ１１及びＷ相発電コイルＷの他端に接続された第１２の出力端子Ｔ１２とを備えている。
【００１９】
そして切替回路ＳＷＣは、手動で操作される切替操作部ＳＨを備えた８極双投形の切替器ＳＷＵ及び配線回路ＤＣを備えて、発電機Ｇと第１乃至第３の出力ラインＯＬ１〜ＯＬ３との間に配置される。
【００２０】
具体的には、切替器ＳＷＵ及び配線回路ＤＣを、切替操作部ＳＨが第１の切替位置Ｐ１にあるときに、Ｕ相発電コイルＵ及びｕ相発電コイルｕが並列接続され、Ｖ相発電コイルＶ及びｖ相発電コイルｖが並列接続され且つＷ相発電コイルＷ及びｗ相発電コイルｗが並列接続されて構成されるパラレルスター結線（図２の左側の結線図）が第１乃至第３の出力ラインＯＬ１〜ＯＬ３に対して接続され、切替操作部ＳＨが第２の切替位置Ｐ２にあるときに、Ｕ相発電コイルＵ、ｖ相発電コイルｖ及びｗ相発電コイルｗからなる第１のデルタ結線並びにｕ相発電コイルｕ、Ｖ相発電コイルＶ及びＷ相発電コイルＷからなる第２のデルタ結線を備えたダブルデルタ結線（図２の右側の結線図）が第１乃至第３の出力ラインＯＬ１〜ＯＬ３に対して接続されるように構成する。
【００２１】
上記の切替動作を実現するために、切替器ＳＷＵとしては、切替操作部ＳＨによって操作される第１乃至第８のスイッチ回路ＳＷ１〜ＳＷ８を備えたものを用いる。第１乃至第８のスイッチ回路ＳＷ１〜ＳＷ８はそれぞれ、切替操作部ＳＨが第１の切替位置Ｐ１にあるときに導通状態となり且つ切替操作部ＳＨが第２の切替位置Ｐ２にあるときに非導通状態となる第１のスイッチ部Ｓ１と、切替操作部ＳＨが第１の切替位置Ｐ１にあるときに非導通状態となり且つ前記切替操作部ＳＨが第２の切替位置Ｐ２にあるときに導通状態となる第２のスイッチ部Ｓ２とが直列に接続された構造を有している。第１及び第２のスイッチＳ１及びＳ２は、機械式スイッチである。
【００２２】
スイッチ回路ＳＷ１〜ＳＷ８のそれぞれは、第１のスイッチ部Ｓ１に接続された第１の接続端子ｔ１と、第２のスイッチ部Ｓ２に接続された第２の接続端子ｔ２と、第１及び第２のスイッチ部Ｓ２の接続点に接続された中間接続端子ｔ３とを有している。切替器ＳＷＵは、１つの切替操作部ＳＨの操作により８個のスイッチ回路ＳＷ１〜ＳＷ８を同時に操作できるように１つのユニットとして構成されている。図３には、ユニット化された切替器ＳＷＵを組み込んだ制御盤の一例を示している。この例の切替器ＳＷＵは、横に並ぶ８個のスイッチ回路の中央部に切替操作部ＳＨが配置されている。図３に示されるように、切替操作部ＳＨは円柱状を有している。そして切替操作部ＳＨは、切替器本体ＳＷＢに対して取り外し可能に装着されている。具体的には、円柱状の切替操作部ＳＨの基部に雄ネジが形成されており、また切替器本体ＳＷＢ側の被装着部には雄ネジが螺合される雌ネジ部が形成されている。したがって切替操作部ＳＨを装着または脱着する際には、切替操作部ＳＨを軸中心を中心にして時計回り方向または反時計回り方向に回動させればよい。このように、切替操作部ＳＨを取り外し自在にすると、切替操作を行う場合だけ、切替操作部ＳＨを操作可能な状態にすることができる。その結果、切替操作部ＳＨを切替操作の権限を持った者が管理すれば、切替権限のない作業者が誤って切替操作をする事故の発生を防止できる。本実施の形態で用いる切替器ＳＷＵは、切替操作部ＳＨが第１の切替位置Ｐ１にあるときには、スイッチ回路ＳＷ１〜ＳＷ８の全ての第１のスイッチ部Ｓ１が導通状態になり、スイッチ回路ＳＷ１〜ＳＷ８の全ての第２のスイッチ部Ｓ２が非導通状態になる。また切替操作部ＳＨが第２の切替位置Ｐ２にあるときには、スイッチ回路ＳＷ１〜ＳＷ８の全ての第１のスイッチ部Ｓ１が非導通状態になり、スイッチ回路ＳＷ１〜ＳＷ８の全ての第２のスイッチ部Ｓ２が導通状態になる。
【００２３】
そして配線回路ＤＣは、以下の配線を形成するように構成されている。まず第１のスイッチ回路ＳＷ１の第１の接続端子ｔ１が第１の出力端子Ｔ１及び第１の出力ラインＯＬ１に電気的に接続され、第２の接続端子ｔ２が第２の出力端子Ｔ２及び第６の出力端子Ｔ６に電気的に接続され、中間接続端子ｔ３が第３の出力端子Ｔ３に電気的に接続される。また第２のスイッチ回路ＳＷ２の第１の接続端子ｔ１が第５の出力端子Ｔ５に電気的に接続され、第２の接続端子ｔ２が第２の出力端子Ｔ２及び第６の出力端子Ｔ６に電気的に接続され、中間接続端子ｔ３が第２の出力ラインＯＬ２に電気的に接続される。また第３のスイッチ回路ＳＷ３の第１の接続端子ｔ１が第１１の出力端子Ｔ１１及び第３の出力ラインに電気的に接続され、第２の接続端子ｔ２が第２の出力端子Ｔ２及び第６の出力端子Ｔ６に電気的に接続され、中間接続端子ｔ３が第９の出力端子Ｔ９に電気的に接続される。第４のスイッチ回路ＳＷ４の第１の接続端子ｔ１が第２の出力端子Ｔ２及び第６の出力端子Ｔ６に電気的に接続され、第２の接続端子ｔ２が第１１の出力端子Ｔ１１及び第３の出力ラインＯＬ３に電気的に接続され、中間接続端子ｔ３が第４の出力端子Ｔ４に電気的に接続される。第５のスイッチ回路ＳＷ５の第１の接続端子ｔ１が第５の出力端子Ｔ５に電気的に接続され、中間接続端子ｔ３が第７の出力端子Ｔ７に電気的に接続される。また第６のスイッチ回路ＳＷ６の第１の接続端子ｔ１が第２の出力端子Ｔ２及び第６の出力端子Ｔ６に電気的に接続され、第２の接続端子ｔ２が第１の出力ラインＯＬ１に電気的に接続され、中間接続端子ｔ３が第８の出力端子Ｔ８に電気的に接続される。また第７のスイッチ回路ＳＷ７の第１の接続端子ｔ１が第２の出力端子Ｔ２及び第６の出力端子Ｔ６に電気的に接続され、第２の接続端子ｔ２が第５のスイッチ回路ＳＷ５の第２の接続端子ｔ２に接続され、中間接続端子ｔ３が第１０の出力端子Ｔ１０に電気的に接続される。また第８のスイッチ回路ＳＷ８の第１の接続端子ｔ１が第２の出力端子Ｔ２及び第６の出力端子Ｔ６に電気的に接続され、第２の接続端子ｔ２が第５の出力端子Ｔ５に電気的に接続され、中間接続端子ｔ３が第１２の出力端子Ｔ１２に電気的に接続されている。このような切替器ＳＷＵと配線回路ＤＣとを用いると、切替器ＳＷＵの構成を単純なものとして、１回の切替操作により、図２に示すように、パラレルスター結線とダブルデルタ結線との結線切替を行って、三相３線と単相３線との切替を実行できる。なお図２中に示した○記号の中の数字１〜８は、スイッチ回路ＳＷ１〜ＳＷ８に対応している。図２の左側のパラレルスター結線の状態においては、スイッチ回路ＳＷ１〜ＳＷ８のそれぞれのスイッチ部Ｓ１が導通状態になっており、スイッチ部Ｓ２が非導通状態になっている。また図２の右側のダブルデルタ結線の状態においては、スイッチ回路ＳＷ１〜ＳＷ８のそれぞれのスイッチ部Ｓ２が導通状態になっており、スイッチ部Ｓ１が非導通状態になっている。ダブルデルタ結線の状態では、第２の出力ラインＯＬ２が中性点（Ｎ）になっている。
【００２４】
図１の実施の形態では、切替操作部ＳＨが第１の切替位置Ｐ１にあるときに、第１乃至第３の出力ラインＯＬ１〜ＯＬ３に電気的に接続されて三相３線の交流電流及び電圧を測定して電力を演算表示する三相３線メータＭ１と、切替操作部ＳＨが第２の切替位置Ｐ２にあるときに、第１乃至第３の出力ラインＯＬ１〜ＯＬ３に電気的に接続されて単相３線の交流電流及び電圧を測定して電力を演算表示する単相３線メータＭ２とが設けられている。本実施の形態では、第１乃至第３の出力ラインＯＬ１〜ＯＬ３の２つの出力ラインＯＬ１及びＯＬ３に対して設けられた２つの変流器ＣＴ１及びＣＴ２を含み、切替操作部ＳＨと連動して、切替操作部ＳＨが第１の切替位置Ｐ１にあるときに三相３線メータＭ１を第１乃至第３の出力ラインＯＬ１〜ＯＬ３及び２つの変流器ＣＴ１及びＣＴ２に電気的に接続し、切替操作部ＳＨが第２の切替位置Ｐ２にあるときに単相３線メータＭ２を第１乃至第３の出力ラインＯＬ１〜ＯＬ３及び２つの変流器ＣＴ１及びＣＴ２に電気的に接続する変流器付連動切替回路ＣＳＣを備えている。変流器付連動切替回路ＣＳＣには、切替操作部ＳＨが第１の切替位置Ｐ１になると導通状態になり、切替操作部ＳＨが第２の切替位置Ｐ２になると非導通状態になるスイッチ部Ｓ３及びＳ４が設けられている。また変流器付連動切替回路ＣＳＣには、切替操作部ＳＨが第１の切替位置Ｐ１になると非導通状態になり、切替操作部ＳＨが第２の切替位置Ｐ２になると導通状態になるスイッチ部Ｓ５及びＳ６が設けられている。これらのスイッチ部Ｓ３乃至Ｓ６は、切替操作部ＳＨの動作と連動するようになっている。このようにすると三相３線と単相３線との切替に連動して、メータの接続切替も行うことができるので、メータの切替作業が容易になる。
【図面の簡単な説明】
【００２５】
【図１】本発明を発電機車や可搬式発電設備等で使用される三相３線−単相３線切替型発電設備ＧＥに適用した実施の形態の回路構成を示す回路図である。
【図２】パラレルスター結線とダブルデルタ結線の切替を説明するために用いる結線図である。
【図３】ユニット化された切替器を組み込んだ制御盤の一例を示す斜視図である。
【符号の説明】
【００２６】
Ｇ  発電機
ＧＥ  三相３線−単相３線切替型発電設備
ＳＷＣ  切替回路
ＳＷＵ  切替器
ＳＨ  切替操作部
ＳＷ１〜ＳＷ８  第１乃至第８のスイッチ回路
Ｓ１  第１のスイッチ部
Ｓ２  第２のスイッチ部
ＯＬ１〜ＯＬ３  第１乃至第３の出力ライン
ＣＴ１，ＣＴ２  変流器
Ｍ１  三相３線メータ
Ｍ２  単相３線メータ
【図１】
2010015897.tif 000003
【図２】
2010015897.tif 000004
【図３】
2010015897.tif 000005